(57)【要約】  セルサーチの演算量を低減し、セルサーチの高速化、回路規模の縮小を実現できるＯＦＤＭ送信装置およびＯＦＤＭ受信装置。ＯＦＤＭ送信装置としての基地局装置（１００）に、直流成分のサブキャリアを中心とする対称位置のシンボルが互いに複素共役となるように同期系列が配置されたフレームを構成するフレーム構成手段としてのＳＣＨ挿入部（１３０）と、前記フレームをＯＦＤＭ変調するＯＦＤＭ変調手段としてのＩＦＦＴ部（１３５）と、を設けた。こうすることにより、フレームの受信側の移動局装置（２００）では、ＳＣＨレプリカ信号として実数信号のみを利用すれば相関処理を行うことができるので、演算量が低減され、セルサーチを高速化することができる。また、演算量が減るため、受信側の回路規模を縮小することができる。
2008018145.tif 000002
【特許請求の範囲】
【請求項１】
実数信号のみ又は虚数信号のみの同期系列を形成する同期系列形成手段と、
前記同期系列を含むＯＦＤＭ送信信号を形成するＯＦＤＭ信号形成手段と、
を具備するＯＦＤＭ送信装置。
【請求項２】
実数信号のみ又は虚数信号のみの同期系列を含むＯＦＤＭ信号を受信する受信手段と、
前記実数信号のみ又は虚数信号のみの同期系列レプリカを用いて、相関検出を行うタイミング検出手段と、
を具備するＯＦＤＭ受信装置。
【請求項３】
直流成分のサブキャリアを中心とする対称位置のシンボルが互いに複素共役となるように同期系列が配置されたフレームを構成するフレーム構成手段と、
前記フレームをＯＦＤＭ変調するＯＦＤＭ変調手段と、
を具備するＯＦＤＭ送信装置。
【請求項４】
直流成分のサブキャリアを中心とする対称位置のシンボルが互いに複素共役であり、且つ、一方のシンボルが更に符号反転された状態で同期系列が配置されたフレームを構成するフレーム構成手段と、
前記フレームをＯＦＤＭ変調するＯＦＤＭ変調手段と、
を具備するＯＦＤＭ送信装置。
【請求項５】
直流成分のサブキャリアを中心とする対称位置のシンボルが互いに複素共役となるように同期系列が配置されたフレームを受信する受信手段と、
前記同期系列がＯＦＤＭ変調された結果と同様の実数信号の同期系列レプリカを用いて、相関検出を行うタイミング検出手段と、
を具備するＯＦＤＭ受信装置。
【請求項６】
直流成分のサブキャリアを中心とする対称位置のシンボルが互いに複素共役であり、且つ、一方のシンボルが更に符号反転された状態で同期系列が配置されたフレームを受信する受信手段と、
前記同期系列がＯＦＤＭ変調された結果と同様の虚数信号の同期系列レプリカを用いて、相関検出を行うタイミング検出手段と、
を具備するＯＦＤＭ受信装置。
【発明の詳細な説明】
【技術分野】
【０００１】
本発明は、ＯＦＤＭ送信装置およびＯＦＤＭ受信装置に関し、特に同期系列を送信するＯＦＤＭ送信装置および当該同期系列を受信して同期制御を行うＯＦＤＭ受信装置に関する。
【背景技術】
【０００２】
標準化団体３ＧＰＰ(3rd Generation Partnership Project)では、現在の第３世代携帯電話のさらなる改良システムの実現を目的として３ＧＰＰ  ＬＴＥ（Long Term Evolution）の検討が進められている。２００４年１１月の標準化会議において、ＬＴＥシステムの要求条件（非特許文献１参照）が承認され、この要求条件を満たす下りリンクの無線伝送方式としてはＯＦＤＭ方式が有力とされている。【０００３】
ところで、携帯電話システムのようなセルラシステムにおいて、通信の開始時、ハンドオーバ時、および間欠受信を行う通信待ち受け時などに、移動局が無線リンクを接続する最適な基地局を探すセルサーチ技術は最も重要な機能の一つである。標準化会議においてもＬＴＥシステムにおけるセルサーチの検討が提案されている（非特許文献２参照）。【０００４】
非特許文献２では、以下に示す３段階の手順でセルサーチを行うことが開示されている。第１段階として、時間領域での第１同期系列（Ｐ−ＳＣＨ：Primary Synchronization Channel)の相関検出を行う。これにより、ＯＦＤＭシンボルタイミングおよびサブフレームタイミングを検出する。【０００５】
第２段階として、周波数領域での第２同期系列（Ｓ−ＳＣＨ：Secondary Synchronization Channel）の相関検出を行う。これにより、セルＩＤグループ、無線フレームタイミング、セル構成、ＭＩＭＯンテナ構成、ＢＣＨ帯域幅などを検出する。【０００６】
第３段階として、周波数領域での共通パイロットチャネルの相関検出を行う。具体的には、共通パイロット信号のレプリカと受信信号のＦＦＴ後の信号との相関検出を行う。これにより、第２段階で検出したセルＩＤグループに属するセルＩＤの検出（すなわち、セル固有のスクランブルコード同定）、セクタ番号の識別を行う。【０００７】
以上のようにセルサーチの第１段階で、受信機で保持する同期用チャネル(ＳＣＨ:Synchronization Channel)のレプリカ信号と受信信号との相関検出することによりタイミング検出を行うことができる。  
【非特許文献１】3GPP, TR 25.913 v7.0.0(2005-06), “Requirements for Evolved UTRA and UTRAN”
【非特許文献２】3GPP, R1-060780, NTT DoCoMo, NEC, “SCH Structure and Cell Search Method for E-UTRA Downlink”
【発明の開示】
【発明が解決しようとする課題】
【０００８】
ところで、速やかに通信を開始するためにも、セルサーチの高速化が望まれる。また、セルサーチの高速化を実現するために演算量を減らすことができれば、通信装置の回路規模を縮小および消費電力を低減することができる。【０００９】
本発明は、かかる点に鑑みてなされたものであり、セルサーチの演算量を低減し、セルサーチの高速化、回路規模の縮小を実現できるＯＦＤＭ送信装置およびＯＦＤＭ受信装置を提供することを目的とする。
【課題を解決するための手段】
【００１０】
本発明のＯＦＤＭ送信装置は、実数信号のみ又は虚数信号のみの同期系列を形成する同期系列形成手段と、前記同期系列を含むＯＦＤＭ送信信号を形成するＯＦＤＭ信号形成手段と、を具備する構成を採る。【００１１】
本発明のＯＦＤＭ受信装置は、実数信号のみ又は虚数信号のみの同期系列を含むＯＦＤＭ信号を受信する受信手段と、前記実数信号のみ又は虚数信号のみの同期系列レプリカを用いて、相関検出を行うタイミング検出手段と、を具備する構成を採る。
【発明の効果】
【００１２】
本発明によれば、セルサーチの演算量を低減し、セルサーチの高速化、回路規模の縮小、消費電力の低減を実現できるＯＦＤＭ送信装置およびＯＦＤＭ受信装置を提供することができる。
【図面の簡単な説明】
【００１３】
【図１】本発明の実施の形態１に係る基地局装置の構成を示すブロック図
【図２】図１の基地局装置が送信するＳＣＨ系列の説明に供する図
【図３】実施の形態１に係る移動局装置の構成を示すブロック図
【図４】実施の形態２の基地局装置が送信するＳＣＨ系列の説明に供する図
【図５】他の実施の形態に係る基地局装置の構成を示すブロック図
【図６】他の実施の形態に係る移動局装置の構成を示すブロック図
【発明を実施するための最良の形態】
【００１４】
以下、本発明の実施の形態について図面を参照して詳細に説明する。なお、実施の形態において、同一の構成要素には同一の符号を付し、その説明は重複するので省略する。【００１５】
（実施の形態１）
実施の形態１の無線通信システムは、基地局装置と、移動局装置とからなる。図１に示すように実施の形態１の基地局装置１００は、誤り訂正符号化部１０５と、変調部１１０と、スクランブリングコード生成部１１５と、スクランブリング処理部１２０と、ＳＣＨ生成部１２５と、ＳＣＨ挿入部１３０と、ＩＦＦＴ部１３５と、ＣＰ挿入部１４０と、Ｔｉｍｅ Ｗｉｎｄｏｗｉｎｇ（ＴＷ）処理部１４５と、ＲＦ送信部１５０とを有する。【００１６】
誤り訂正符号化部１０５は、入力信号である送信データに所定の符号化を施し、変調部１１０に出力する。【００１７】
変調部１１０は、入力信号である符号化処理後の信号に所定の一次変調を施し、スクランブリング処理部１２０に出力する。【００１８】
スクランブリングコード生成部１１５は、自装置のセルに固有のＩＤに応じたスクランブルコードを生成し、スクランブリング処理部１２０に出力する。【００１９】
スクランブリング処理部１２０は、入力信号である変調後の信号と、スクランブルコードとを乗算してスクランブルを行い、ＳＣＨ挿入部１３０に出力する。【００２０】
ＳＣＨ生成部１２５は、互いに複素共役の関係にあるシンボルの対からなるＳＣＨ系列を生成し、このＳＣＨ系列をＳＣＨ挿入部１３０に出力する。【００２１】
ＳＣＨ挿入部１３０は、ＳＣＨ生成部１２５にて生成されたＳＣＨ系列をフレームの周波数軸上（つまり、ＯＦＤＭシンボル上）にマッピングする。具体的には、ＳＣＨ挿入部１３０は、図２に示すように直流（ＤＣ）成分のサブキャリア（以下、「ＤＣサブキャリア」という）を中心とする対称位置のサブキャリアのシンボルが複素共役となるように、ＳＣＨ系列をフレームの周波数軸方向にマッピングする。ここで、「ＤＣサブキャリアを中心とする対称位置のサブキャリアのシンボルが複素共役」である構成を、本明細書では、「複素共役対称」と呼ぶこととする。なお、他のＯＦＤＭシンボルには、スクランブリング処理部１２０にてスクランブルされた後の信号が配置される。【００２２】
ＩＦＦＴ部１３５は、入力信号を逆高速フーリエ処理して周波数領域の信号から時間領域の信号に変換してＯＦＤＭ信号を生成し、ＣＰ挿入部１４０に出力する。このとき、ＳＣＨ挿入部１３０で挿入されたＳＣＨ系列は、「複素共役対称」であるため、ＩＦＦＴ部１３５にて逆高速フーリエ変換されると、実数部分のみが残り、実数信号となる。【００２３】
ＣＰ挿入部１４０は、入力されるＯＦＤＭシンボルの末尾部分のコピーをＯＦＤＭシンボルの先頭に配置する、すなわちサイクリックプレフィクス（ＣＰ）を挿入する。【００２４】
ＴＷ処理部１４５は、ＣＰ挿入後のＯＦＤＭ信号の波形の連続性を保つためのフィルタリング処理を行い、ＲＦ送信部１５０に出力する。【００２５】
ＲＦ送信部１５０は、入力信号に無線処理（Ｄ／Ａ変換、アップコンバートなど）を施し、アンテナを介して送信する。【００２６】
図３に示すように実施の形態１の移動局装置２００は、ＲＦ受信部２０５と、ＳＣＨレプリカ信号生成部２１０と、Ｐ−ＳＣＨ相関検出部２１５と、ＦＦＴ部２２０と、Ｓ−ＳＣＨ相関検出部２２５と、セルＩＤグループ検出部２３０と、パイロット相関検出部２３５と、スクランブルコード検出部２４０と、デスクランブリング処理部２４５と、復調部２５０と、誤り訂正復号部２５５と、を有する。【００２７】
ＲＦ受信部２０５は、アンテナを介して受信した受信信号に無線受信処理（Ａ／Ｄ変換、ダウンコンバートなど）を施し、Ｐ−ＳＣＨ相関検出部２１５およびＦＦＴ部２２０に出力する。【００２８】
ＳＣＨレプリカ信号生成部２１０は、基地局装置１００のＩＦＦＴ部１３５の出力と同様の実数信号であるＳＣＨレプリカ信号を生成し、Ｐ−ＳＣＨ相関検出部２１５に出力する。【００２９】
Ｐ−ＳＣＨ相関検出部２１５は、ＳＣＨレプリカ信号と受信信号との相関処理を行い、ピークの現れるタイミング（例えば、シンボルタイミング、サブフレームタイミング）を検出して、タイミング情報をＦＦＴ部２２０に出力する。【００３０】
ＦＦＴ処理部２２０は、入力されたＰ−ＳＣＨ相関検出部２１５からのタイミング情報（シンボルタイミング）に基づいてＣＰを除去する。さらに、ＦＦＴ処理部２２０は、タイミング情報（シンボルタイミング）に基づくタイミング位置でフーリエ変換（ＦＦＴ）処理を行い、フーリエ変換処理後の信号をＳ−ＳＣＨ相関検出部２２５、パイロット相関検出部２３５、およびデスクランブリング処理部２４５に出力する。【００３１】
Ｓ−ＳＣＨ相関検出部２２５は、ＦＦＴ後の信号（周波数領域に変換された信号）とＳＣＨ系列との相関検出処理を行い、セルＩＤグループ検出部２３０に出力する。【００３２】
セルＩＤグループ検出部２３０は、Ｓ−ＳＣＨ相関検出部２２５にて検出された相関結果に基づいて、セルＩＤグループを検出し、検出されたセルＩＤグループ情報をスクランブルコード検出部２４０に出力する。【００３３】
パイロット相関検出部２３５は、ＦＦＴ後の信号とパイロット系列との相関検出処理を行い、スクランブルコード検出部２４０に出力する。なお、基地局装置１００から送信される送信フレームには、フレーム先頭から所定の位置のＯＦＤＭシンボルにセル固有のスクランブリングコードが乗算されたパイロット系列が配置されている。そのため、ＦＦＴ処理後の信号とパイロット系列との相関検出を行うことにより、フレームタイミングを検出することができる。【００３４】
スクランブルコード検出部２４０は、パイロット相関検出部２３５における相関検出結果からフレームタイミングを特定し、このフレームタイミングからパイロット系列の位置を特定して、このパイロット系列にセルＩＤグループ情報が示すセルＩＤグループに含まれるスクランブルコードを掛け合わせてピーク検出することにより、スクランブルコードを同定する。この同定されたスクランブルコードは、デスクランブリング処理部２４５に出力される。【００３５】
デスクランブリング処理部２４５は、スクランブルコード検出部２４０にて検出されたスクランブルコードを用いて、ＦＦＴ処理後の信号をデスクランブルし、復調部２５０に出力する。【００３６】
復調部２５０は、入力された信号を復調し、誤り訂正復号部２５５に出力する。誤り訂正復号部２５５は、所定の復号を行い、受信データを得る。【００３７】
次に、上記構成を有する基地局装置１００および移動局装置２００の動作について説明する。【００３８】
基地局装置１００においては、ＳＣＨ生成部１２５にて生成される、互いに複素共役の関係にあるシンボルの対からなるＳＣＨ系列がＳＣＨ挿入部１３０に入力される。【００３９】
ＳＣＨ挿入部１３０では、ＤＣサブキャリアを中心とする対称位置のサブキャリアのシンボルが複素共役となるように、ＳＣＨ系列がフレームに配置される。すなわち、ＳＣＨ挿入部１３０では、ＳＣＨ系列がＤＣサブキャリアを中心とする対称位置のサブキャリアのシンボルが複素共役となるように配置されたフレームが構成されることになる。【００４０】
ＩＦＦＴ部１３５では、ＳＣＨ系列がＤＣサブキャリアを中心とする対称位置のサブキャリアのシンボルが複素共役となるように配置されたフレームに、高速逆フーリエ変換処理が施される。そうすると、上述のとおり、ＩＦＦＴ後のＯＦＤＭ信号では、ＳＣＨ系列の実数部分のみが残ることになる。【００４１】
ＯＦＤＭ信号は、ＣＰ挿入部１４０、ＴＷ処理部１４５、ＲＦ送信部１５０で所定の処理が施され、アンテナを介して送信される。【００４２】
移動局装置２００においては、アンテナを介して受信する受信信号がＲＦ受信部２０５にて所定の処理が施され、Ｐ−ＳＣＨ相関検出部２１５に入力される。【００４３】
Ｐ−ＳＣＨ相関検出部２１５では、ＳＣＨレプリカ信号と受信信号との相関処理が行われる。ここで、受信信号は、基地局装置１００から送信されるときにはＳＣＨ系列に関し実数信号のみの形となっているが、伝搬路で位相回転が生じるため、(ＩＲＥＣＥＩＶＥ
＋ｊ×ＱＲＥＣＥＩＶＥ)のように虚数部分も含まれた形となる。しかしながら、位相回転のみの影響であるので、Ｐ−ＳＣＨ相関検出部２１５は、ＳＣＨレプリカ信号としてＩＲＥＰＬＩＣＡのみを利用すれば、相関処理を行うことができる。【００４４】
すなわち、従来相関演算では、次式の演算を行う必要があった。
(ＩＲＥＣＥＩＶＥ＋ｊ×ＱＲＥＣＥＩＶＥ)×(ＩＲＥＰＬＩＣＡ＋ｊ×ＱＲＥＰＬＩＣＡ)＊
但し、＊は、複素共役を意味する。【００４５】
これに対して、移動局装置２００では、次式の演算を行うことで足りる。
(ＩＲＥＣＥＩＶＥ＋ｊ×ＱＲＥＣＥＩＶＥ)×ＩＲＥＰＬＩＣＡ【００４６】
よって、移動局装置２００は、従来の相関演算の約１／２の演算量でよいことになるため、相関検出回路規模を縮小することが可能となる。【００４７】
このように本実施の形態によれば、ＯＦＤＭ送信装置としての基地局装置１００に、直流成分のサブキャリアを中心とする対称位置のシンボルが互いに複素共役となるように同期系列が配置されたフレームを構成するフレーム構成手段としてのＳＣＨ挿入部１３０と、前記フレームをＯＦＤＭ変調するＯＦＤＭ変調手段としてのＩＦＦＴ部１３５と、を設けた。【００４８】
こうすることにより、フレームの受信側では、ＳＣＨレプリカ信号として実数信号（ＩＲＥＰＬＩＣＡ）のみを利用すれば相関処理を行うことができるので、演算量が低減され、セルサーチを高速化することができる。また、演算量が減るため、受信側の回路規模を縮小することができる。【００４９】
また、本実施の形態によれば、ＯＦＤＭ受信装置としての移動局装置２００に、直流成分のサブキャリアを中心とする対称位置のシンボルが互いに複素共役となるように同期系列（Ｐ−ＳＣＨ）が配置されたフレームを受信する受信手段としてのＲＦ受信部２０５と、前記同期系列がＯＦＤＭ変調された結果と同様の実数信号レプリカを用いて、相関検出を行うタイミング検出手段としてのＰ−ＳＣＨ相関検出部２１５と、を設けた。【００５０】
こうすることにより、直流成分のサブキャリアを中心とする対称位置のシンボルが互いに複素共役となるように同期系列（Ｐ−ＳＣＨ）が配置されたフレームを受信するため、同期系列の相関を実数信号のみで行うことが可能となり、演算量が低減され、セルサーチを高速化することができる。また、演算量が減るため、回路規模を縮小することができる。【００５１】
（実施の形態２）
実施の形態１においては、ＳＣＨ系列がＤＣサブキャリアを中心とする対称位置のサブキャリアのシンボルが複素共役となるように配置されたフレームを構成し、このフレームの受信側では、ＳＣＨレプリカ信号として実数信号のみを掛け合わせる。これに対して、実施の形態２においては、ＳＣＨ系列がＤＣサブキャリアを中心とする対称位置のサブキャリアのシンボルが複素共役であり、且つ、一方のシンボルが更に符号反転された状態で配置されたフレームを構成する。【００５２】
本実施の形態の無線通信システムの構成は、実施の形態１のものと同様であるため、図１および図３を用いて説明する。【００５３】
ＳＣＨ挿入部１３０は、図４に示すようにＤＣサブキャリアを中心とする対称位置のサブキャリアのシンボルが複素共役であり、且つ、一方のシンボルが更に符号反転されている状態で、ＳＣＨ系列をマッピングする。すなわち、ＳＣＨ挿入部１３０では、ＳＣＨ系列がＤＣサブキャリアを中心とする対称位置のサブキャリアのシンボルが複素共役であり、且つ、一方のシンボルが更に符号反転されている状態で配置されたフレームが構成されることになる。【００５４】
このため、実施の形態２では、ＩＦＦＴ部１３５によるＩＦＦＴ後のＯＦＤＭ信号では、ＳＣＨ系列の虚数部分のみが残ることになる。【００５５】
受信側のＰ−ＳＣＨ相関検出部２１５では、ＳＣＨレプリカ信号と受信信号との相関処理が行われる。ここで、受信信号は、基地局装置１００から送信されるときにはＳＣＨ系列に関し虚数信号のみの形となっているが、伝搬路で位相回転が生じるため、(ＩＲＥＣＥＩＶＥ＋ｊ×ＱＲＥＣＥＩＶＥ)のように虚数部分も含まれた形となる。しかしながら、位相回転のみの影響であるので、Ｐ−ＳＣＨ相関検出部２１５は、ＳＣＨレプリカ信号として（ｊ×ＱＲＥＰＬＩＣＡ）＊のみを利用すれば、相関処理を行うことができる。【００５６】
すなわち、従来相関演算では、次式の演算を行う必要があった。
(ＩＲＥＣＥＩＶＥ＋ｊ×ＱＲＥＣＥＩＶＥ)×(ＩＲＥＰＬＩＣＡ＋ｊ×ＱＲＥＰＬＩＣＡ)＊
但し、＊は、複素共役を意味する。【００５７】
これに対して、移動局装置２００では、次式の演算を行うことで足りる。
(ＩＲＥＣＥＩＶＥ＋ｊ×ＱＲＥＣＥＩＶＥ)×（ｊ×ＱＲＥＰＬＩＣＡ）＊【００５８】
よって、移動局装置２００は、従来の相関演算の約１／２の演算量でよいことになるため、相関検出回路規模を縮小することが可能となる。【００５９】
このように本実施の形態によれば、ＯＦＤＭ送信装置としての基地局装置１００に、直流成分のサブキャリアを中心とする対称位置のシンボルが互いに複素共役であり、且つ、一方のシンボルが更に符号反転された状態で同期系列（Ｐ−ＳＣＨ）が配置されたフレームを構成するフレーム構成手段としてのＳＣＨ挿入部１３０と、前記フレームをＯＦＤＭ変調するＯＦＤＭ変調手段としてのＩＦＦＴ部１３５と、を設けた。【００６０】
こうすることにより、フレームの受信側では、ＳＣＨレプリカ信号として虚数信号（（ｊ×ＱＲＥＰＬＩＣＡ）＊）のみを利用すれば相関処理を行うことができるので、演算量が低減され、セルサーチを高速化することができる。また、演算量が減るため、受信側の回路規模を縮小することができる。【００６１】
また、本実施の形態によれば、ＯＦＤＭ受信装置としての移動局装置２００に、直流成分のサブキャリアを中心とする対称位置のシンボルが互いに複素共役であり、且つ、一方のシンボルが更に符号反転された状態で同期系列が配置されたフレームを受信する受信手段としてのＲＦ受信部２０５と、前記同期系列がＯＦＤＭ変調された結果と同様の虚数信号レプリカを用いて、相関検出を行うタイミング検出手段としてのＰ−ＳＣＨ相関検出部２１５と、を設けた。【００６２】
こうすることにより、ＯＦＤＭ受信装置としての移動局装置２００に、直流成分のサブキャリアを中心とする対称位置のシンボルが互いに複素共役であり、且つ、一方のシンボルが更に符号反転された状態で同期系列が配置されたフレームを受信するため、同期系列の相関を虚数信号のみで行うことが可能となり、演算量が低減され、セルサーチを高速化することができる。また、演算量が減るため、回路規模を縮小することができる。【００６３】
（他の実施の形態）
（１）サブキャリアマッピング処理において、実施の形態１および実施の形態２の配置を行わず、通常のＯＦＤＭ変調を行い、ＯＦＤＭ信号の実数成分又は純虚数成分のみを送信してもよい。このとき、実数成分と純虚数成分の片方のみを送信するので、電力損を補償するため送信電力を倍にする必要がある。このようにしても、結果として実施の形態１および実施の形態２と同様（複素共役対称配置、又は、複素共役対称且つ符号反転配置）の信号となる。【００６４】
（２）ＳＣＨ系列は、基地局装置と移動局装置との間で既知の信号系列を用いるため、実施の形態１、実施の形態２および他の実施の形態（１）において必ずしもＯＦＤＭ変調処理を行う必要はなく、ＳＣＨ信号をメモリに保持し送信又は相関検出処理へ入力することが可能である。この場合の基地局装置および移動局装置の構成を図５および図６にそれぞれ示す。【００６５】
図５に示すように基地局装置３００は、ＳＣＨ信号メモリ部３１０と、ＳＣＨ挿入部３２０とを有する。【００６６】
ＳＣＨ信号メモリ部３１０は、実施の形態１のＩＦＦＴ後のＳＣＨ系列の実数信号、実施の形態２のＩＦＦＴ後のＳＣＨ系列の虚数信号を記憶している。【００６７】
ＳＣＨ挿入部３２０は、実施の形態１のＳＣＨ挿入部１３０と異なり、ＩＦＦＴ部１３５の後段に設けられている。ＳＣＨ挿入部３２０は、ＩＦＦＴ後の信号と、ＳＣＨ信号メモリ部３１０からのＳＣＨ系列とを合わせてＣＰ挿入部１４０に出力する。【００６８】
図６に示すように移動局装置４００は、ＳＣＨ信号メモリ部４１０と、Ｐ−ＳＣＨ相関検出部４２０とを有する。【００６９】
ＳＣＨ信号メモリ部４１０は、送信側のＳＣＨ信号メモリ部３１０と同様の信号を記憶している。【００７０】
Ｐ−ＳＣＨ相関検出部４２０は、ＳＣＨ信号メモリ部４１０からのＳＣＨレプリカ信号と受信信号との相関処理を行い、シンボルタイミング、サブフレームタイミングの検出を行う。
【産業上の利用可能性】
【００７１】
本発明のＯＦＤＭ送信装置およびＯＦＤＭ受信装置は、セルサーチの演算量を低減し、セルサーチの高速化、回路規模の縮小を実現できるものとして有用である。
【図１】
2008018145.tif 000003
【図２】
2008018145.tif 000004
【図３】
2008018145.tif 000005
【図４】
2008018145.tif 000006
【図５】
2008018145.tif 000007
【図６】
2008018145.tif 000008
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
実数信号のみ又は虚数信号のみの同期系列を形成する同期系列形成手段と、
前記同期系列を含むＯＦＤＭ送信信号を形成するＯＦＤＭ信号形成手段と、
を具備するＯＦＤＭ送信装置。
【請求項２】
実数信号のみ又は虚数信号のみの同期系列を含むＯＦＤＭ信号を受信する受信手段と、
前記実数信号のみ又は虚数信号のみの同期系列レプリカを用いて、相関検出を行うタイミング検出手段と、
を具備するＯＦＤＭ受信装置。
【請求項３】
直流成分のサブキャリアを中心とする対称位置のシンボルが互いに複素共役となるように同期系列が配置されたフレームを構成するフレーム構成手段と、
前記フレームをＯＦＤＭ変調するＯＦＤＭ変調手段と、
を具備するＯＦＤＭ送信装置。
【請求項４】
直流成分のサブキャリアを中心とする対称位置のシンボルが互いに複素共役であり、且つ、一方のシンボルが更に符号反転された状態で同期系列が配置されたフレームを構成するフレーム構成手段と、
前記フレームをＯＦＤＭ変調するＯＦＤＭ変調手段と、
を具備するＯＦＤＭ送信装置。
【請求項５】
直流成分のサブキャリアを中心とする対称位置のシンボルが互いに複素共役となるように同期系列が配置されたフレームを受信する受信手段と、
前記同期系列がＯＦＤＭ変調された結果と同様の実数信号の同期系列レプリカを用いて、相関検出を行うタイミング検出手段と、
を具備するＯＦＤＭ受信装置。
【請求項６】
直流成分のサブキャリアを中心とする対称位置のシンボルが互いに複素共役であり、且つ、一方のシンボルが更に符号反転された状態で同期系列が配置されたフレームを受信する受信手段と、
前記同期系列がＯＦＤＭ変調された結果と同様の虚数信号の同期系列レプリカを用いて、相関検出を行うタイミング検出手段と、
を具備するＯＦＤＭ受信装置。
【手続補正２】
【補正対象書類名】明細書
【補正対象項目名】全文
【補正方法】変更
【補正の内容】
【発明の詳細な説明】
【技術分野】
【０００１】
本発明は、ＯＦＤＭ送信装置およびＯＦＤＭ受信装置に関し、特に同期系列を送信するＯＦＤＭ送信装置および当該同期系列を受信して同期制御を行うＯＦＤＭ受信装置に関する。
【背景技術】
【０００２】
標準化団体３ＧＰＰ(3rd Generation Partnership Project)では、現在の第３世代携帯電話のさらなる改良システムの実現を目的として３ＧＰＰ  ＬＴＥ（Long Term Evolution）の検討が進められている。２００４年１１月の標準化会議において、ＬＴＥシステムの要求条件（非特許文献１参照）が承認され、この要求条件を満たす下りリンクの無線伝送方式としてはＯＦＤＭ方式が有力とされている。
【０００３】
ところで、携帯電話システムのようなセルラシステムにおいて、通信の開始時、ハンドオーバ時、および間欠受信を行う通信待ち受け時などに、移動局が無線リンクを接続する最適な基地局を探すセルサーチ技術は最も重要な機能の一つである。標準化会議においてもＬＴＥシステムにおけるセルサーチの検討が提案されている（非特許文献２参照）。
【０００４】
非特許文献２では、以下に示す３段階の手順でセルサーチを行うことが開示されている。第１段階として、時間領域での第１同期系列（Ｐ−ＳＣＨ：Primary Synchronization Channel)の相関検出を行う。これにより、ＯＦＤＭシンボルタイミングおよびサブフレームタイミングを検出する。
【０００５】
第２段階として、周波数領域での第２同期系列（Ｓ−ＳＣＨ：Secondary Synchronization Channel）の相関検出を行う。これにより、セルＩＤグループ、無線フレームタイミング、セル構成、ＭＩＭＯンテナ構成、ＢＣＨ帯域幅などを検出する。
【０００６】
第３段階として、周波数領域での共通パイロットチャネルの相関検出を行う。具体的には、共通パイロット信号のレプリカと受信信号のＦＦＴ後の信号との相関検出を行う。これにより、第２段階で検出したセルＩＤグループに属するセルＩＤの検出（すなわち、セル固有のスクランブルコード同定）、セクタ番号の識別を行う。
【０００７】
以上のようにセルサーチの第１段階で、受信機で保持する同期用チャネル(ＳＣＨ:Synchronization Channel)のレプリカ信号と受信信号との相関検出することによりタイミング検出を行うことができる。  
【非特許文献１】3GPP, TR 25.913 v7.0.0(2005-06), “Requirements for Evolved UTRA and UTRAN”
【非特許文献２】3GPP, R1-060780, NTT DoCoMo, NEC, “SCH Structure and Cell Search Method for E-UTRA Downlink”
【発明の開示】
【発明が解決しようとする課題】
【０００８】
ところで、速やかに通信を開始するためにも、セルサーチの高速化が望まれる。また、セルサーチの高速化を実現するために演算量を減らすことができれば、通信装置の回路規模を縮小および消費電力を低減することができる。
【０００９】
本発明は、かかる点に鑑みてなされたものであり、セルサーチの演算量を低減し、セルサーチの高速化、回路規模の縮小を実現できるＯＦＤＭ送信装置およびＯＦＤＭ受信装置
を提供することを目的とする。
【課題を解決するための手段】
【００１０】
本発明のＯＦＤＭ送信装置は、実数信号のみ又は虚数信号のみの同期系列を形成する同期系列形成手段と、前記同期系列を含むＯＦＤＭ送信信号を形成するＯＦＤＭ信号形成手段と、を具備する構成を採る。
【００１１】
本発明のＯＦＤＭ受信装置は、実数信号のみ又は虚数信号のみの同期系列を含むＯＦＤＭ信号を受信する受信手段と、前記実数信号のみ又は虚数信号のみの同期系列レプリカを用いて、相関検出を行うタイミング検出手段と、を具備する構成を採る。
【発明の効果】
【００１２】
本発明によれば、セルサーチの演算量を低減し、セルサーチの高速化、回路規模の縮小、消費電力の低減を実現できるＯＦＤＭ送信装置およびＯＦＤＭ受信装置を提供することができる。
【発明を実施するための最良の形態】
【００１３】
以下、本発明の実施の形態について図面を参照して詳細に説明する。なお、実施の形態において、同一の構成要素には同一の符号を付し、その説明は重複するので省略する。
【００１４】
（実施の形態１）
実施の形態１の無線通信システムは、基地局装置と、移動局装置とからなる。図１に示すように実施の形態１の基地局装置１００は、誤り訂正符号化部１０５と、変調部１１０と、スクランブリングコード生成部１１５と、スクランブリング処理部１２０と、ＳＣＨ生成部１２５と、ＳＣＨ挿入部１３０と、ＩＦＦＴ部１３５と、ＣＰ挿入部１４０と、Ｔｉｍｅ Ｗｉｎｄｏｗｉｎｇ（ＴＷ）処理部１４５と、ＲＦ送信部１５０とを有する。
【００１５】
誤り訂正符号化部１０５は、入力信号である送信データに所定の符号化を施し、変調部１１０に出力する。
【００１６】
変調部１１０は、入力信号である符号化処理後の信号に所定の一次変調を施し、スクランブリング処理部１２０に出力する。
【００１７】
スクランブリングコード生成部１１５は、自装置のセルに固有のＩＤに応じたスクランブルコードを生成し、スクランブリング処理部１２０に出力する。
【００１８】
スクランブリング処理部１２０は、入力信号である変調後の信号と、スクランブルコードとを乗算してスクランブルを行い、ＳＣＨ挿入部１３０に出力する。
【００１９】
ＳＣＨ生成部１２５は、互いに複素共役の関係にあるシンボルの対からなるＳＣＨ系列を生成し、このＳＣＨ系列をＳＣＨ挿入部１３０に出力する。
【００２０】
ＳＣＨ挿入部１３０は、ＳＣＨ生成部１２５にて生成されたＳＣＨ系列をフレームの周波数軸上（つまり、ＯＦＤＭシンボル上）にマッピングする。具体的には、ＳＣＨ挿入部１３０は、図２に示すように直流（ＤＣ）成分のサブキャリア（以下、「ＤＣサブキャリア」という）を中心とする対称位置のサブキャリアのシンボルが複素共役となるように、ＳＣＨ系列をフレームの周波数軸方向にマッピングする。ここで、「ＤＣサブキャリアを中心とする対称位置のサブキャリアのシンボルが複素共役」である構成を、本明細書では、「複素共役対称」と呼ぶこととする。なお、他のＯＦＤＭシンボルには、スクランブリング処理部１２０にてスクランブルされた後の信号が配置される。
【００２１】
ＩＦＦＴ部１３５は、入力信号を逆高速フーリエ処理して周波数領域の信号から時間領域の信号に変換してＯＦＤＭ信号を生成し、ＣＰ挿入部１４０に出力する。このとき、ＳＣＨ挿入部１３０で挿入されたＳＣＨ系列は、「複素共役対称」であるため、ＩＦＦＴ部１３５にて逆高速フーリエ変換されると、実数部分のみが残り、実数信号となる。
【００２２】
ＣＰ挿入部１４０は、入力されるＯＦＤＭシンボルの末尾部分のコピーをＯＦＤＭシンボルの先頭に配置する、すなわちサイクリックプレフィクス（ＣＰ）を挿入する。
【００２３】
ＴＷ処理部１４５は、ＣＰ挿入後のＯＦＤＭ信号の波形の連続性を保つためのフィルタリング処理を行い、ＲＦ送信部１５０に出力する。
【００２４】
ＲＦ送信部１５０は、入力信号に無線処理（Ｄ／Ａ変換、アップコンバートなど）を施し、アンテナを介して送信する。
【００２５】
図３に示すように実施の形態１の移動局装置２００は、ＲＦ受信部２０５と、ＳＣＨレプリカ信号生成部２１０と、Ｐ−ＳＣＨ相関検出部２１５と、ＦＦＴ部２２０と、Ｓ−ＳＣＨ相関検出部２２５と、セルＩＤグループ検出部２３０と、パイロット相関検出部２３５と、スクランブルコード検出部２４０と、デスクランブリング処理部２４５と、復調部２５０と、誤り訂正復号部２５５と、を有する。
【００２６】
ＲＦ受信部２０５は、アンテナを介して受信した受信信号に無線受信処理（Ａ／Ｄ変換、ダウンコンバートなど）を施し、Ｐ−ＳＣＨ相関検出部２１５およびＦＦＴ部２２０に出力する。
【００２７】
ＳＣＨレプリカ信号生成部２１０は、基地局装置１００のＩＦＦＴ部１３５の出力と同様の実数信号であるＳＣＨレプリカ信号を生成し、Ｐ−ＳＣＨ相関検出部２１５に出力する。
【００２８】
Ｐ−ＳＣＨ相関検出部２１５は、ＳＣＨレプリカ信号と受信信号との相関処理を行い、ピークの現れるタイミング（例えば、シンボルタイミング、サブフレームタイミング）を検出して、タイミング情報をＦＦＴ部２２０に出力する。
【００２９】
ＦＦＴ処理部２２０は、入力されたＰ−ＳＣＨ相関検出部２１５からのタイミング情報（シンボルタイミング）に基づいてＣＰを除去する。さらに、ＦＦＴ処理部２２０は、タイミング情報（シンボルタイミング）に基づくタイミング位置でフーリエ変換（ＦＦＴ）処理を行い、フーリエ変換処理後の信号をＳ−ＳＣＨ相関検出部２２５、パイロット相関検出部２３５、およびデスクランブリング処理部２４５に出力する。
【００３０】
Ｓ−ＳＣＨ相関検出部２２５は、ＦＦＴ後の信号（周波数領域に変換された信号）とＳＣＨ系列との相関検出処理を行い、セルＩＤグループ検出部２３０に出力する。
【００３１】
セルＩＤグループ検出部２３０は、Ｓ−ＳＣＨ相関検出部２２５にて検出された相関結果に基づいて、セルＩＤグループを検出し、検出されたセルＩＤグループ情報をスクランブルコード検出部２４０に出力する。
【００３２】
パイロット相関検出部２３５は、ＦＦＴ後の信号とパイロット系列との相関検出処理を行い、スクランブルコード検出部２４０に出力する。なお、基地局装置１００から送信される送信フレームには、フレーム先頭から所定の位置のＯＦＤＭシンボルにセル固有のスクランブリングコードが乗算されたパイロット系列が配置されている。そのため、ＦＦＴ処理後の信号とパイロット系列との相関検出を行うことにより、フレームタイミングを検出することができる。
【００３３】
スクランブルコード検出部２４０は、パイロット相関検出部２３５における相関検出結果からフレームタイミングを特定し、このフレームタイミングからパイロット系列の位置を特定して、このパイロット系列にセルＩＤグループ情報が示すセルＩＤグループに含まれるスクランブルコードを掛け合わせてピーク検出することにより、スクランブルコードを同定する。この同定されたスクランブルコードは、デスクランブリング処理部２４５に出力される。
【００３４】
デスクランブリング処理部２４５は、スクランブルコード検出部２４０にて検出されたスクランブルコードを用いて、ＦＦＴ処理後の信号をデスクランブルし、復調部２５０に出力する。
【００３５】
復調部２５０は、入力された信号を復調し、誤り訂正復号部２５５に出力する。誤り訂正復号部２５５は、所定の復号を行い、受信データを得る。
【００３６】
次に、上記構成を有する基地局装置１００および移動局装置２００の動作について説明する。
【００３７】
基地局装置１００においては、ＳＣＨ生成部１２５にて生成される、互いに複素共役の関係にあるシンボルの対からなるＳＣＨ系列がＳＣＨ挿入部１３０に入力される。
【００３８】
ＳＣＨ挿入部１３０では、ＤＣサブキャリアを中心とする対称位置のサブキャリアのシンボルが複素共役となるように、ＳＣＨ系列がフレームに配置される。すなわち、ＳＣＨ挿入部１３０では、ＳＣＨ系列がＤＣサブキャリアを中心とする対称位置のサブキャリアのシンボルが複素共役となるように配置されたフレームが構成されることになる。
【００３９】
ＩＦＦＴ部１３５では、ＳＣＨ系列がＤＣサブキャリアを中心とする対称位置のサブキャリアのシンボルが複素共役となるように配置されたフレームに、高速逆フーリエ変換処理が施される。そうすると、上述のとおり、ＩＦＦＴ後のＯＦＤＭ信号では、ＳＣＨ系列の実数部分のみが残ることになる。
【００４０】
ＯＦＤＭ信号は、ＣＰ挿入部１４０、ＴＷ処理部１４５、ＲＦ送信部１５０で所定の処理が施され、アンテナを介して送信される。
【００４１】
移動局装置２００においては、アンテナを介して受信する受信信号がＲＦ受信部２０５にて所定の処理が施され、Ｐ−ＳＣＨ相関検出部２１５に入力される。
【００４２】
Ｐ−ＳＣＨ相関検出部２１５では、ＳＣＨレプリカ信号と受信信号との相関処理が行われる。ここで、受信信号は、基地局装置１００から送信されるときにはＳＣＨ系列に関し実数信号のみの形となっているが、伝搬路で位相回転が生じるため、(ＩＲＥＣＥＩＶＥ
＋ｊ×ＱＲＥＣＥＩＶＥ)のように虚数部分も含まれた形となる。しかしながら、位相回転のみの影響であるので、Ｐ−ＳＣＨ相関検出部２１５は、ＳＣＨレプリカ信号としてＩＲＥＰＬＩＣＡのみを利用すれば、相関処理を行うことができる。
【００４３】
すなわち、従来相関演算では、次式の演算を行う必要があった。
(ＩＲＥＣＥＩＶＥ＋ｊ×ＱＲＥＣＥＩＶＥ)×(ＩＲＥＰＬＩＣＡ＋ｊ×ＱＲＥＰＬＩＣＡ)＊
但し、＊は、複素共役を意味する。
【００４４】
これに対して、移動局装置２００では、次式の演算を行うことで足りる。
(ＩＲＥＣＥＩＶＥ＋ｊ×ＱＲＥＣＥＩＶＥ)×ＩＲＥＰＬＩＣＡ
【００４５】
よって、移動局装置２００は、従来の相関演算の約１／２の演算量でよいことになるため、相関検出回路規模を縮小することが可能となる。
【００４６】
このように本実施の形態によれば、ＯＦＤＭ送信装置としての基地局装置１００に、直流成分のサブキャリアを中心とする対称位置のシンボルが互いに複素共役となるように同期系列が配置されたフレームを構成するフレーム構成手段としてのＳＣＨ挿入部１３０と、前記フレームをＯＦＤＭ変調するＯＦＤＭ変調手段としてのＩＦＦＴ部１３５と、を設けた。
【００４７】
こうすることにより、フレームの受信側では、ＳＣＨレプリカ信号として実数信号（ＩＲＥＰＬＩＣＡ）のみを利用すれば相関処理を行うことができるので、演算量が低減され、セルサーチを高速化することができる。また、演算量が減るため、受信側の回路規模を縮小することができる。
【００４８】
また、本実施の形態によれば、ＯＦＤＭ受信装置としての移動局装置２００に、直流成分のサブキャリアを中心とする対称位置のシンボルが互いに複素共役となるように同期系列（Ｐ−ＳＣＨ）が配置されたフレームを受信する受信手段としてのＲＦ受信部２０５と、前記同期系列がＯＦＤＭ変調された結果と同様の実数信号レプリカを用いて、相関検出を行うタイミング検出手段としてのＰ−ＳＣＨ相関検出部２１５と、を設けた。
【００４９】
こうすることにより、直流成分のサブキャリアを中心とする対称位置のシンボルが互いに複素共役となるように同期系列（Ｐ−ＳＣＨ）が配置されたフレームを受信するため、同期系列の相関を実数信号のみで行うことが可能となり、演算量が低減され、セルサーチを高速化することができる。また、演算量が減るため、回路規模を縮小することができる。
【００５０】
（実施の形態２）
実施の形態１においては、ＳＣＨ系列がＤＣサブキャリアを中心とする対称位置のサブキャリアのシンボルが複素共役となるように配置されたフレームを構成し、このフレームの受信側では、ＳＣＨレプリカ信号として実数信号のみを掛け合わせる。これに対して、実施の形態２においては、ＳＣＨ系列がＤＣサブキャリアを中心とする対称位置のサブキャリアのシンボルが複素共役であり、且つ、一方のシンボルが更に符号反転された状態で配置されたフレームを構成する。
【００５１】
本実施の形態の無線通信システムの構成は、実施の形態１のものと同様であるため、図１および図３を用いて説明する。
【００５２】
ＳＣＨ挿入部１３０は、図４に示すようにＤＣサブキャリアを中心とする対称位置のサ
ブキャリアのシンボルが複素共役であり、且つ、一方のシンボルが更に符号反転されている状態で、ＳＣＨ系列をマッピングする。すなわち、ＳＣＨ挿入部１３０では、ＳＣＨ系列がＤＣサブキャリアを中心とする対称位置のサブキャリアのシンボルが複素共役であり、且つ、一方のシンボルが更に符号反転されている状態で配置されたフレームが構成されることになる。
【００５３】
このため、実施の形態２では、ＩＦＦＴ部１３５によるＩＦＦＴ後のＯＦＤＭ信号では、ＳＣＨ系列の虚数部分のみが残ることになる。
【００５４】
受信側のＰ−ＳＣＨ相関検出部２１５では、ＳＣＨレプリカ信号と受信信号との相関処理が行われる。ここで、受信信号は、基地局装置１００から送信されるときにはＳＣＨ系列に関し虚数信号のみの形となっているが、伝搬路で位相回転が生じるため、(ＩＲＥＣＥＩＶＥ＋ｊ×ＱＲＥＣＥＩＶＥ)のように虚数部分も含まれた形となる。しかしながら、位相回転のみの影響であるので、Ｐ−ＳＣＨ相関検出部２１５は、ＳＣＨレプリカ信号として（ｊ×ＱＲＥＰＬＩＣＡ）＊のみを利用すれば、相関処理を行うことができる。
【００５５】
すなわち、従来相関演算では、次式の演算を行う必要があった。
(ＩＲＥＣＥＩＶＥ＋ｊ×ＱＲＥＣＥＩＶＥ)×(ＩＲＥＰＬＩＣＡ＋ｊ×ＱＲＥＰＬＩＣＡ)＊
但し、＊は、複素共役を意味する。
【００５６】
これに対して、移動局装置２００では、次式の演算を行うことで足りる。
(ＩＲＥＣＥＩＶＥ＋ｊ×ＱＲＥＣＥＩＶＥ)×（ｊ×ＱＲＥＰＬＩＣＡ）＊
【００５７】
よって、移動局装置２００は、従来の相関演算の約１／２の演算量でよいことになるため、相関検出回路規模を縮小することが可能となる。
【００５８】
このように本実施の形態によれば、ＯＦＤＭ送信装置としての基地局装置１００に、直流成分のサブキャリアを中心とする対称位置のシンボルが互いに複素共役であり、且つ、一方のシンボルが更に符号反転された状態で同期系列（Ｐ−ＳＣＨ）が配置されたフレームを構成するフレーム構成手段としてのＳＣＨ挿入部１３０と、前記フレームをＯＦＤＭ変調するＯＦＤＭ変調手段としてのＩＦＦＴ部１３５と、を設けた。
【００５９】
こうすることにより、フレームの受信側では、ＳＣＨレプリカ信号として虚数信号（（ｊ×ＱＲＥＰＬＩＣＡ）＊）のみを利用すれば相関処理を行うことができるので、演算量が低減され、セルサーチを高速化することができる。また、演算量が減るため、受信側の回路規模を縮小することができる。
【００６０】
また、本実施の形態によれば、ＯＦＤＭ受信装置としての移動局装置２００に、直流成分のサブキャリアを中心とする対称位置のシンボルが互いに複素共役であり、且つ、一方のシンボルが更に符号反転された状態で同期系列が配置されたフレームを受信する受信手段としてのＲＦ受信部２０５と、前記同期系列がＯＦＤＭ変調された結果と同様の虚数信号レプリカを用いて、相関検出を行うタイミング検出手段としてのＰ−ＳＣＨ相関検出部２１５と、を設けた。
【００６１】
こうすることにより、ＯＦＤＭ受信装置としての移動局装置２００に、直流成分のサブキャリアを中心とする対称位置のシンボルが互いに複素共役であり、且つ、一方のシンボルが更に符号反転された状態で同期系列が配置されたフレームを受信するため、同期系列の相関を虚数信号のみで行うことが可能となり、演算量が低減され、セルサーチを高速化することができる。また、演算量が減るため、回路規模を縮小することができる。
【００６２】
（他の実施の形態）
（１）サブキャリアマッピング処理において、実施の形態１および実施の形態２の配置を行わず、通常のＯＦＤＭ変調を行い、ＯＦＤＭ信号の実数成分又は純虚数成分のみを送信してもよい。このとき、実数成分と純虚数成分の片方のみを送信するので、電力損を補償するため送信電力を倍にする必要がある。このようにしても、結果として実施の形態１および実施の形態２と同様（複素共役対称配置、又は、複素共役対称且つ符号反転配置）の信号となる。
【００６３】
（２）ＳＣＨ系列は、基地局装置と移動局装置との間で既知の信号系列を用いるため、実施の形態１、実施の形態２および他の実施の形態（１）において必ずしもＯＦＤＭ変調処理を行う必要はなく、ＳＣＨ信号をメモリに保持し送信又は相関検出処理へ入力することが可能である。この場合の基地局装置および移動局装置の構成を図５および図６にそれぞれ示す。
【００６４】
図５に示すように基地局装置３００は、ＳＣＨ信号メモリ部３１０と、ＳＣＨ挿入部３２０とを有する。
【００６５】
ＳＣＨ信号メモリ部３１０は、実施の形態１のＩＦＦＴ後のＳＣＨ系列の実数信号、実施の形態２のＩＦＦＴ後のＳＣＨ系列の虚数信号を記憶している。
【００６６】
ＳＣＨ挿入部３２０は、実施の形態１のＳＣＨ挿入部１３０と異なり、ＩＦＦＴ部１３５の後段に設けられている。ＳＣＨ挿入部３２０は、ＩＦＦＴ後の信号と、ＳＣＨ信号メモリ部３１０からのＳＣＨ系列とを合わせてＣＰ挿入部１４０に出力する。
【００６７】
図６に示すように移動局装置４００は、ＳＣＨ信号メモリ部４１０と、Ｐ−ＳＣＨ相関検出部４２０とを有する。
【００６８】
ＳＣＨ信号メモリ部４１０は、送信側のＳＣＨ信号メモリ部３１０と同様の信号を記憶している。
【００６９】
Ｐ−ＳＣＨ相関検出部４２０は、ＳＣＨ信号メモリ部４１０からのＳＣＨレプリカ信号と受信信号との相関処理を行い、シンボルタイミング、サブフレームタイミングの検出を行う。
【産業上の利用可能性】
【００７０】
本発明のＯＦＤＭ送信装置およびＯＦＤＭ受信装置は、セルサーチの演算量を低減し、セルサーチの高速化、回路規模の縮小を実現できるものとして有用である。
【図面の簡単な説明】
【００７１】
【図１】本発明の実施の形態１に係る基地局装置の構成を示すブロック図
【図２】図１の基地局装置が送信するＳＣＨ系列の説明に供する図
【図３】実施の形態１に係る移動局装置の構成を示すブロック図
【図４】実施の形態２の基地局装置が送信するＳＣＨ系列の説明に供する図
【図５】他の実施の形態に係る基地局装置の構成を示すブロック図
【図６】他の実施の形態に係る移動局装置の構成を示すブロック図
【手続補正３】
【補正対象書類名】図面
【補正対象項目名】全図
【補正方法】変更
【補正の内容】
【図１】
2008018145.tif 000009
【図２】
2008018145.tif 000010
【図３】
2008018145.tif 000011
【図４】
2008018145.tif 000012
【図５】
2008018145.tif 000013
【図６】
2008018145.tif 000014
【国際調査報告】
2008018145.tif 000015
2008018145.tif 000016
2008018145.tif 000017
2008018145.tif 000018